Podtech/llm-jp-corpus-v4-ja_patent huggingface dataset:
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
第１のステータと、
第２のステータと、
前記第１のステータと前記第２のステータとの間に配置されたロータと、  
を備えたモータであって、
第１のステータ及び前記第２のステータはそれぞれ、励磁可能な複数の電磁コイルを順番に配置してなる構成を備え、前記第１のステータの前記複数の電磁コイルの配列と前記第２のステータの前記複数の電磁コイルの配列とを比較すると、両者の前記電磁コイルの配列にピッチ差が設けられており、
前記ロータは着磁された複数の永久磁石を順番に配置してなる構成を備えており、
前記コイルは導体が巻回されたボビンを備え、当該ボビンが熱伝導性の非磁性材料から形成されてなり、
前記第１のステータと前記第２のステータとが熱伝導性の非磁材料からなるケース内に収容されてなる、
モータ。
【請求項２】
前記ケース内を冷媒材で充填してなる請求項１記載のモータ。
【請求項３】
前記ロータの周辺部に前記冷媒材を攪拌するフィンが設けられてなる請求項２記載のモータ。
【請求項４】
前記冷媒材を前記ケース内で循環させる手段を備えてなる請求項２又は３記載のモータ。
【請求項５】
前記ボビンに複数のスリットが設けられている請求項１から4の何れか１項記載のモータ。
【請求項６】
前記ボビンとケースとの間に絶縁材が設けられている請求項１から５の何れか１項記載のモータ。
【請求項７】
前記ボビンが絶縁層を間に介した複数の導電層から形成されてなる請求項１から６の何れか１項記載のモータ。
【請求項８】
導体がボビンに巻回された電磁コイルと、
前記電磁コイルへの励磁によって回転するロータと、
前記電磁コイル及びロータを収容するケースと、
を備え、
前記ボビンと前記ケースは熱伝導性の非磁性材料から構成されてなり、
前記ケース内に冷媒材が充填され、
前記ロータの周辺部に前記冷媒材を攪拌するフィンを設け、
さらに、前記冷媒材を前記ケース内で循環させる手段を備えてなる、
モータ。
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
人体を仰臥状に支持する支持台を昇降自在に設置すると共に、前記支持台に、その昇降手段を付設したことを特徴とする按摩装置。
【請求項２】
昇降手段は、水平なモータ軸に回転板を固定し、上端を支持台に回転自在に取付けたロッドの下端を前記回転板へ偏心して回転自在に取付けたことを特徴とする請求項１記載の按摩装置。
【請求項３】
昇降手段は、エアシリンダーのロッドの上端を支持台の下面に固定したことを特徴とする請求項１記載の按摩装置。
【請求項４】
人体を仰臥状にして、腰部、背部及び肩部を支持台により支持し、この支持台を上下させて、支持された部分に強さの変化する繰り返し加圧力を加えると共に、前記支持台の上下により、人体に重力による加圧力の変化を与えることを特徴とした按摩装置の使用方法。
【請求項５】
人体を仰臥状にして、腰部、背部及び肩部を支持台により支持し、この支持台を上下させて支持された部分に強さの変化する繰り返し加圧力を加えると共に、前記支持台に振動を付与し、かつ前記支持台の上下により、人体に重力による加圧力の変化を与えることを特徴とした按摩装置の使用方法。
【手続補正２】
【補正対象書類名】明細書
【補正対象項目名】発明の名称
【補正方法】変更
【補正の内容】
【発明の名称】按摩装置及びその使用方法
【手続補正３】
【補正対象書類名】明細書
【補正対象項目名】０００１
【補正方法】変更
【補正の内容】
【０００１】
この発明は全身按摩（加圧力に重力変化付加）することにより、疲労回復及び気分転換をさせることを目的とした按按摩装置及びその使用方法に関する。
【手続補正４】
【補正対象書類名】明細書
【補正対象項目名】０００５
【補正方法】変更
【補正の内容】
【０００５】
即ち装置の発明は、人体を仰臥状に支持する支持台を昇降自在に設置すると共に、前記支持台に、その昇降手段を付設したことを特徴とする按摩装置であり、昇降手段は、水平なモータ軸に回転板を固定し、上端を支持台に回転自在に取付けたロッドの下端を前記回転板へ偏心して回転自在に取付けたものであり、昇降手段は、エアシリンダーのロッドの上端を支持台の下面に固定したものである。
【手続補正５】
【補正対象書類名】明細書
【補正対象項目名】０００６
【補正方法】変更
【補正の内容】
【０００６】
次に方法の発明は、人体を仰臥状にして、腰部、背部及び肩部を支持台により支持し、この支持台を上下させて、支持された部分に強さの変化する繰り返し加圧力を加えると共に、前記支持台の上下により、人体に重力による加圧力の変化を与えることを特徴とした按摩装置の使用方法であり、人体を仰臥状にして、腰部、背部及び肩部を支持台により支持し、この支持台を上下させて支持された部分に強さの変化する繰り返し加圧力を加えると共に、前記支持台に振動を付与し、かつ前記支持台の上下により、人体に重力による加圧力の変化を与えることを特徴とした按摩装置の使用方法である。
【手続補正書】
【提出日】平成19年1月29日(2007.1.29)
【手続補正１】
【補正対象書類名】明細書
【補正対象項目名】０００８
【補正方法】変更
【補正の内容】
【０００８】
軸糸条１１を複数本の芯糸によって構成し、その複数本の芯糸の間に雄型フック１２の根元１４を絡合させるとよい。
【手続補正２】
【補正対象書類名】明細書
【補正対象項目名】０００９
【補正方法】変更
【補正の内容】
【０００９】
本発明に係る線ファスナーの第２の特徴は、上記第１の特徴に加えて、軸糸条１１が緯糸と経糸によって構成された織組織構造を成し、その経糸または緯糸の両端がカットされており、そのカットされた先端が雄型フック１２を構成している点にある。
【手続補正３】
【補正対象書類名】明細書
【補正対象項目名】００１０
【補正方法】変更
【補正の内容】
【００１０】
その軸糸条１１を編糸１５によって構成される経編組織構造にし、その一部の編糸１６の両端をカットし、そのカットされた先端に雄型フック１２を構成するとよい。
又、軸糸条１１を不織布を裁断して構成することも出来、その裁断口に現れる繊維の先端に雄型フック１２を構成することも出来る。
【手続補正４】
【補正対象書類名】明細書
【補正対象項目名】００１１
【補正方法】変更
【補正の内容】
【００１１】
本発明に係る線ファスナーの第３の特徴は、上記第１と第２の何れかの特徴に加えて、雄型フック１２が、高融点ポリマーを芯成分３１とし低融点ポリマーを鞘成分３２とする芯鞘複合繊維糸条１６（１８）を熱溶融裁断して構成され、その芯鞘複合繊維糸条１６（１８）の熱溶融塊１９によってキノコ型に形成されている点にある。
【手続補正５】
【補正対象書類名】明細書
【補正対象項目名】００１２
【補正方法】変更
【補正の内容】
【００１２】
本発明に係る面ファスナーは、雄型フック１２が、高融点ポリマーを芯成分３１とし、低融点ポリマーを鞘成分３２とする芯鞘複合繊維糸条（１６・１８）を熱溶融裁断して構成され、その芯鞘複合繊維糸条（１６・１８）の熱溶融塊（１９）によってキノコ型に形成されていることを第１の特徴とする。
【手続補正６】
【補正対象書類名】明細書
【補正対象項目名】００１３
【補正方法】変更
【補正の内容】
【００１３】
本発明に係る面ファスナーの第２の特徴は、軸糸条１１から雄型フック１２が突き出た糸条（１３）を有し、その雄型フック１２が表面に露出している点にある。
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
識別情報を変動表示する変動表示ゲームが行われる表示手段と、
遊技球が所定の領域で検出されたことに関連して、前記表示手段にて第１の変動表示ゲームおよび第２の変動表示ゲームを行う変動表示ゲーム制御手段と、
前記各変動表示ゲームの内の少なくとも一方の変動表示ゲームが特別な結果になった場合に、遊技者に特典を付与する特別遊技を発生可能な特別遊技発生手段と、
前記各変動表示ゲームの結果に対応して、通常の遊技状態よりも前記特別遊技が発生しやすい特定遊技状態を、開始または終了させる特定遊技状態制御手段と、
を備える遊技機であって、
前記変動表示ゲーム制御手段には、
遊技球が所定の領域で検出されてから変動表示ゲームが実行されるまでの保留記憶を、所定数を限度として、第１の変動表示ゲームと第２の変動表示ゲームとに区別して記憶する始動記憶手段と、
前記始動記憶手段に記憶された保留記憶に基づいて、対応する変動表示ゲームの結果を決定し、変動表示ゲームを実行する変動表示ゲーム実行手段と、
前記始動記憶手段に記憶された保留記憶に、特定遊技状態の開始条件または終了条件となるものが含まれるかを判定する保留記憶判定手段と、
前記保留記憶判定手段の判定結果に基づいて、第１の変動表示ゲームと第２の変動表示ゲームを実行する順序を決定する実行順序決定手段と、
を備えたことを特徴とする遊技機。
【請求項２】
前記保留記憶判定手段は、第１の変動表示ゲームが特定遊技状態の開始条件となる結果を導出し、第２の変動表示ゲームが特定遊技状態の終了条件となる結果を導出する条件混在状態が発生しているかを判定し、
前記実行順序決定手段は、前記条件混在状態が発生した場合には、第２の変動表示ゲームを、第１の変動表示ゲームよりも先に実行することを特徴とする請求項１に記載の遊技機。
【請求項３】
前記保留記憶判定手段は、第１の変動表示ゲームおよび第２の変動表示ゲームの何れにおいても、特定遊技状態の開始条件または終了条件となる結果が導出されない条件不在状態が発生しているかを判定し、
前記実行順序決定手段は、前記条件不在状態が発生した場合には、第１の変動表示ゲームと第２の変動表示ゲームの内、保留記憶の数が多い方の変動表示ゲームを、他の変動表示ゲームよりも先に実行することを特徴とする請求項１または２に記載の遊技機。
【請求項４】
前記保留記憶判定手段は、第１の変動表示ゲームおよび第２の変動表示ゲームの何れかの保留記憶が０個となった保留無記憶状態が発生しているかを判定し、
前記実行順序決定手段は、遊技状態が特定遊技状態でないときに前記保留無記憶状態が発生した場合には、保留記憶が有る方の変動表示ゲームを実行させ、遊技状態が特定遊技状態のときに前記保留無記憶状態が発生した場合には、保留記憶が有る方の変動表示ゲームを待機させることを特徴とする請求項１〜３の何れか１つに記載の遊技機。
【請求項５】
前記保留記憶判定手段は、第１の変動表示ゲームが特定遊技状態のときに限って特別遊技を発生可能となる結果を導出し、第２の変動表示ゲームが特定遊技状態の終了条件となる結果を導出する特別遊技潜伏状態が発生しているかを判定し、
前記実行順序決定手段は、遊技状態が特定遊技状態のときに、前記特別遊技潜伏状態が発生した場合には、第１の変動表示ゲームを、第２の変動表示ゲームよりも先に実行することを特徴とする請求項１〜４の何れか１つに記載の遊技機。
【請求項６】
前記保留記憶判定手段は、第１の変動表示ゲームが特定遊技状態のときに限って特別遊技を発生可能となる結果を導出し、第２の変動表示ゲームが特定遊技状態の開始条件となる結果を導出する確変限定特賞状態が発生しているかを判定し、
前記実行順序決定手段は、遊技状態が通常遊技状態のときに、前記確変限定特賞状態が発生した場合には、第２の変動表示ゲームを、第１の変動表示ゲームよりも先に実行することを特徴とする請求項１から５の何れか１つに記載の遊技機。
【手続補正２】
【補正対象書類名】明細書
【補正対象項目名】００１２
【補正方法】変更
【補正の内容】
【００１２】
第５の発明は、第１〜第４の発明において、前記保留記憶判定手段は、第１の変動表示ゲームが特定遊技状態のときに限って特別遊技を発生可能となる結果を導出し、第２の変動表示ゲームが特定遊技状態の終了条件となる結果を導出する特別遊技潜伏状態が発生しているかを判定し、前記実行順序決定手段は、遊技状態が特定遊技状態のときに、前記特別遊技潜伏状態が発生した場合には、第１の変動表示ゲームを、第２の変動表示ゲームよりも先に実行するように構成する。
また、第６の発明は、第１〜５の発明において、前記保留記憶判定手段は、第１の変動表示ゲームが特定遊技状態のときに限って特別遊技を発生可能となる結果を導出し、第２の変動表示ゲームが特定遊技状態の開始条件となる結果を導出する確変限定特賞状態が発生しているかを判定し、前記実行順序決定手段は、遊技状態が通常遊技状態のときに、前記確変限定特賞状態が発生した場合には、第２の変動表示ゲームを、第１の変動表示ゲームよりも先に実行することを特徴とする。
【手続補正３】
【補正対象書類名】明細書
【補正対象項目名】００１８
【補正方法】変更
【補正の内容】
【００１８】
第５の発明によれば、特定遊技状態が終わると消失してしまう特別遊技の権利を、可能な限り保護して、遊技者の利益に充当することができる。すなわち、特定遊技状態をできるだけ延長させて、特別遊技を数多く発生させることができるので、興趣に富む。
また、第６の発明によれば、確率変動状態にないときには発生しない確変限定特賞の大当たり遊技を行え、興趣が高まる。
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
被検体の体軸方向に連続する複数の断層像を用いてそれぞれの断層像における特定の臓器領域を抽出する抽出手段を備えた医用画像診断装置において、
前記抽出手段によって抽出された臓器領域の外輪部と内輪部及びその領域の重心の各情報と、それらの情報の予め設定された経験値とからその臓器領域の抽出精度を計算する精度計算手段と、
前記計算された精度の所定より高い臓器領域の前記情報を用いてその抽出精度より低い臓器領域を修正する領域修正手段と
を備えたことを特徴とする医用画像診断装置。
【手続補正２】
【補正対象書類名】明細書
【補正対象項目名】００４３
【補正方法】変更
【補正の内容】
【００４３】
抽出制度が十分かどうかの判定は、修正処理を行うたびにステップ42の抽出精度測定処理を行い、注目画像の抽出領域が式(1)，式(2)を同時に満たすようになったら、注目画像表示領域を特定の色づけをした枠で囲むようにしてもよい。あるいは、操作者がマウス26などの入力装置によりスクロールバー5Aや5Bを操作してウィンドウレベル、ウィンドウ幅を調整し抽出精度が十分かどうかを確かめてもよい。ここで、ウィンドウレベル、ウィンドウ幅値はそれぞれウィンドウレベル値表示領域5Cおよびウィンドウ幅表示領域5Dに表示される。また、修正処理時に誤った修正をした場合にはボタン5Fやボタン5Gを押すことにより1つ前の処理結果に戻ったり、心筋自動抽出結果に戻ったりすることが可能である。
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
少なくとも炭酸塩を含有する培地成分を収容し、非通気性材料で作成された第１の容器と、該炭酸塩以外の培地成分を収容した第２の容器からなる培養用培地セット。
【請求項２】
非通気性材料の二酸化炭素透過係数が１０００ｃｍ３／ｍ２・２４ｈｒ・ａｔｍ未満である請求項１に記載の培養用培地セット。
【請求項３】
非通気性材料の水蒸気透過係数が１０００ｇ／ｍ２・２４ｈｒ・ａｔｍ未満である請求項１に記載の培養用培地セット。
【請求項４】
第２の容器が通気性材料で作成された請求項１に記載の培養用培地セット。
【請求項５】
通気性材料の酸素透過係数が１００〜５０００ｃｍ３／ｍ２・２４ｈｒ・ａｔｍである請求項４に記載の培養用培地セット。
【請求項６】
通気性材料の二酸化炭素透過係数が１０００〜２００００ｃｍ３／ｍ２・２４ｈｒ・ａｔｍである請求項４に記載の培養用培地セット。
【請求項７】
第１の容器および第２の容器に連通可能な閉鎖手段を設けた請求項１に記載の培養用培地セット。
【請求項８】
炭酸塩が炭酸水素ナトリウムである請求項１に記載の培養用培地セット。
【請求項９】
請求項１〜８に記載の培養用培地セットを用いて、培地成分として少なくとも炭酸塩を含有する培地成分を非通気性雰囲気下で保存することを特徴とする培地保存方法。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
生体の皮膚に当接される突出部と、前記突出部によって生体に加えられる圧力を測定する圧力測定手段と、前記突出部を進退移動させて、前記圧力測定手段で測定される圧力が予め設定された圧力範囲内となるように調節する圧力調整手段と、前記突出部によって圧力が加えられた皮膚部分に対して、血管拡張作用を有する波長の光を照射する光照射口と、を有することを特徴とする光照射装置。
【請求項２】
前記光照射口の周辺には、皮膚を冷却するための冷却手段が設けられていることを特徴とする請求項１に記載の光照射装置。
【請求項３】
前記圧力測定手段は、ロードセルを含んでおり、前記圧力調整手段は、測定された圧力と測定圧力にそれぞれ対応する電圧信号間の差分をとる差動アンプと、当該差動アンプの出力に基づいて直線駆動するリニアアクチュエータとを含んでいることを特徴とする請求項1に記載の光照射装置。
【請求項４】
前記圧力測定手段によって測定された圧力が予め設定された圧力範囲内にあるときにのみ、光照射されるように制御する制御手段を有することを特徴とする請求項1に記載の光照射装置。
【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】
複数の文書の中から、与えられた文字列に関連する文書を検索する文書検索装置であって、
前記文書毎に予め作成された、前記文書に含まれる自立語に関する情報を示す第１の単語特徴情報を格納する手段と、
前記文字列に含まれる自立語を抽出する抽出手段と、
前記抽出手段により抽出された前記自立語に関する情報を示す第２の単語特徴情報を作成する手段と、
前記文書の中から、前記抽出手段により抽出された前記自立語を全て含む文書を検索する手段と、
検索された文書に含まれる自立語のうち、前記抽出手段により抽出された前記自立語に対応する自立語の前記第１の単語特徴情報と、前記第２の単語特徴情報と、に基づいて、検索された文書の順位付けを行う手段と、
を備えたことを特徴とする文書検索装置。
【請求項２】
前記第１の単語特徴情報と前記第２の単語特徴情報とは、共に、前記自立語の構文上の情報であることを特徴とする請求項１に記載の文書検索装置。
【請求項３】
前記第１の単語特徴情報には、前記自立語の前記文書中における位置を示す情報が含まれ、前記第２の単語特徴情報には、前記自立語の前記検索文字列中における位置を示す情報が含まれることを特徴とする請求項１に記載の文書検索装置。
【請求項４】
前記第１の単語特徴情報及び前記第２の単語特徴情報には、それぞれ前記自立語に対する付属語の情報が含まれることを特徴とする請求項１に記載の文書検索装置。
【請求項５】
前記第１の単語特徴情報及び前記第２の単語特徴情報には、それぞれ前記自立語の活用に関する情報が含まれることを特徴とする請求項１に記載の文書検索装置。
【請求項６】
複数の文書の中から、与えられた文字列に関連する文書を検索するためにコンピュータが実行する文書検索方法であって、
前記文書毎に、前記文書に含まれる自立語に関する情報を示す第１の単語特徴情報を予め作成し、記録媒体に格納する工程と、
前記文字列に含まれる自立語を抽出する抽出工程と、
前記抽出工程において抽出された前記自立語に関する情報を示す第２の単語特徴情報を作成する工程と、
前記文書の中から、前記抽出工程において抽出された前記自立語を全て含む文書を検索する工程と、
検索された文書に含まれる自立語のうち、前記抽出手段により抽出された前記自立語に対応する自立語の前記第１の単語特徴情報を前記記録媒体から読み出して該第１の単語特徴情報と、前記第２の単語特徴情報と、に基づいて、検索された文書の順位付けを行う工程と、
を含むことを特徴とする文書検索方法。
【請求項７】
複数の文書の中から、与えられた文字列に関連する文書を検索するために、コンピュータを、
前記文書毎に予め作成された、前記文書に含まれる自立語に関する情報を示す第１の単語特徴情報を格納する手段、
前記文字列に含まれる自立語を抽出する抽出手段、
前記抽出手段により抽出された前記自立語に関する情報を示す第２の単語特徴情報を作成する手段、
前記文書の中から、前記抽出手段により抽出された前記自立語を全て含む文書を検索する手段、
検索された文書に含まれる自立語のうち、前記抽出手段により抽出された前記自立語に対応する自立語の前記第１の単語特徴情報と、前記第２の単語特徴情報と、に基づいて、検索された文書の順位付けを行う手段、
として機能させるプログラムを記録した記録媒体。
【手続補正２】
【補正対象書類名】明細書
【補正対象項目名】００１７
【補正方法】変更
【補正の内容】
【００１７】
また、本発明によれば、複数の文書の中から、与えられた文字列に関連する文書を検索するためにコンピュータが実行する文書検索方法であって、
前記文書毎に、前記文書に含まれる自立語に関する情報を示す第１の単語特徴情報を予め作成し、記録媒体に格納する工程と、
前記文字列に含まれる自立語を抽出する抽出工程と、
前記抽出工程において抽出された前記自立語に関する情報を示す第２の単語特徴情報を作成する工程と、
前記文書の中から、前記抽出工程において抽出された前記自立語を全て含む文書を検索する工程と、
検索された文書に含まれる自立語のうち、前記抽出手段により抽出された前記自立語に対応する自立語の前記第１の単語特徴情報を前記記録媒体から読み出して該第１の単語特徴情報と、前記第２の単語特徴情報と、に基づいて、検索された文書の順位付けを行う工程と、
を含むことを特徴とする文書検索方法が提供される。
【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】  支持体上に、（Ａ）光熱変換物質、及び（Ｂ）アルカリ可溶性樹脂を含有するポジ型感光性組成物層を有する感光性平版印刷版をレーザー露光し、次いでアルカリ現像液で現像するポジ型感光性平版印刷版の製版方法において、感光性組成物層が（Ｃ）ＨＬＢ１０未満の界面活性剤を含有し、且つアルカリ現像液が（Ｄ）ＨＬＢ１０以上の界面活性剤を含有することを特徴とするポジ型感光性平版印刷版の製版方法。
【請求項２】  現像により溶出した感光性組成物の量に応じて、アルカリ現像液中のＨＬＢ１０以上の界面活性剤の濃度を制御することを特徴とする請求項１に記載のポジ型感光性平版印刷版の製版方法。
【請求項３】  感光性組成物中にＨＬＢ１０以上の界面活性剤を含有させることにより、現像により溶出した感光性組成物の量に応じて、現像液中のＨＬＢ１０以上の界面活性剤の濃度を制御することを特徴とする請求項２に記載のポジ型感光性平版印刷版の製版方法。
【請求項４】  感光性平版印刷版の感光性組成物層以外の場所にＨＬＢ１０以上の界面活性剤を保持させることにより、現像により溶出した感光性組成物の量に応じて、現像液中のＨＬＢ１０以上の界面活性剤の濃度を制御することを特徴とする請求項２に記載のポジ型感光性平版印刷版の製版方法。
【請求項５】  現像により溶出した感光性組成物の量に応じて、現像液中にＨＬＢ１０以上の界面活性剤を追加補充することにより、現像液中のＨＬＢ１０以上の界面活性剤の濃度を制御することを特徴とする請求項２に記載のポジ型感光性平版印刷版の製版方法。
【請求項６】  溶出した感光性組成物の量Ｘ（ｇ）とＨＬＢ１０以上の界面活性剤の量Ｙ（ｇ）との関係を０．００１Ｘ≦Ｙ≦０．５Ｘの範囲に制御する請求項２〜５のいずれかに記載のポジ型感光性平版印刷版の製版方法。
【請求項７】  感光性組成物層中のＨＬＢ１０未満の界面活性剤が、ポリオキシエチレンソルビット脂肪酸エステルである請求項１〜６のいずれかに記載のポジ型感光性平版印刷版の製版方法。
【請求項８】  感光性組成物層中の界面活性剤の含有量が２〜８重量％である請求項１〜７のいずれかに記載のポジ型感光性平版印刷版の製版方法。
【請求項９】  現像液中の界面活性剤のＨＬＢの平均値を８〜１２の範囲に制御することを特徴とする請求項１〜８のいずれかに記載のポジ型感光性平版の製版方法。
【請求項１０】  アルカリ可溶性樹脂がノボラック樹脂を含有する請求項１〜９のいずれかに記載のポジ型感光性平版印刷版の製版方法。
【請求項１１】  感光性組成物層が、紫外光に対して実質的に感受性を有さない請求項１〜１０のいずれかに記載のポジ型感光性平版印刷版の製版方法。
【請求項１２】  レーザー露光波長が６５０〜１３００ｎｍの範囲である請求項１〜１１のいずれかに記載のポジ型感光性平版印刷版の製版方法。
【手続補正書】
【提出日】平成19年8月8日(2007.8.8)
【手続補正１】
【補正対象書類名】明細書
【補正対象項目名】請求項２
【補正方法】変更
【補正の内容】
【請求項２】
画素の階調を示す原フレームデータを、表示フレーム期間における表示素子の発光時期を規定する表示フレームデータに変換する、画像表示のためのデータ変換方法であって、
現フレームと前フレームとを合わせた複数フレーム分の表示フレームデータで定まる階調の推移を表す階調波形と、それに対応した原フレームデータが示す目標階調波形との誤差をフーリエ展開しかつフーリエ成分毎に重みを設定することで得られる、重みつき誤差成分の総和が最も小さくなるように、現フレームについて表示フレームデータを設定する
ことを特徴とする画像表示のためのデータ変換方法。
【手続補正書】
【提出日】平成19年1月16日(2007.1.16)
【手続補正１】
【補正対象書類名】明細書
【補正対象項目名】特許請求の範囲
【補正方法】変更
【補正の内容】
【特許請求の範囲】
【請求項１】
第1の記録媒体に記録されたコンテンツを、第２の記録媒体に記録する機能を有する情報処理装置において、
前記第１の記録媒体に記録された前記コンテンツを第２の記録媒体に記録する記録手段と、
前記記録手段により、前記第１の記録媒体に記録された前記コンテンツが、第２の記録媒体に記録されるとき、前記コンテンツの情報を記録履歴情報として記憶する記録履歴情報記憶手段と、
前記記録手段により、前記第１の記録媒体に記録された前記コンテンツが、第２の記録媒体に再び記録されるとき、前記記録履歴情報記憶手段により前記記録履歴情報として記憶された前記コンテンツの情報を検索し、表示させる表示制御手段と
を備えることを特徴とする情報処理装置。
【請求項２】
前記記録履歴情報は、前記第１の記録媒体のトラック毎の録音回数を記録した録音履歴情報、前記コンテンツのタイトル保存情報、および、プレイリスト情報を含む
ことを特徴とする請求項１に記載の情報処理装置。
【請求項３】
第1の記録媒体に記録されたコンテンツを、第２の記録媒体に記録する機能を有する情報処理装置の情報処理方法において、
前記第１の記録媒体に記録された前記コンテンツを第２の記録媒体に記録する記録ステップと、
前記記録ステップの処理で、前記第１の記録媒体に記録された前記コンテンツが、第２の記録媒体に記録されるとき、前記コンテンツの情報を記録履歴情報として記憶する記録履歴情報記憶ステップと、
前記記録ステップの処理で、前記第１の記録媒体に記録された前記コンテンツが、第２の記録媒体に再び記録されるとき、前記記録履歴情報記憶ステップの処理で前記記録履歴情報として記憶された前記コンテンツの情報を検索し、表示させる表示制御ステップと
を含むことを特徴とする情報処理方法。
【請求項４】
第1の記録媒体に記録されたコンテンツを、第２の記録媒体に記録する機能を有する情報処理装置を制御するプログラムであって、
前記第１の記録媒体に記録された前記コンテンツの第２の記録媒体への記録を制御する記録制御ステップと、
前記記録制御ステップの処理で、前記第１の記録媒体に記録された前記コンテンツが、第２の記録媒体に記録されるとき、前記コンテンツの情報の記録履歴情報としての記憶を制御する記録履歴情報記憶制御ステップと、
前記記録制御ステップの処理で、前記第１の記録媒体に記録された前記コンテンツが、第２の記録媒体に再び記録されるとき、前記記録履歴情報記憶制御ステップの処理で前記記録履歴情報として記憶された前記コンテンツの情報の検索と、表示を制御する表示制御ステップと
を含むことを特徴とするコンピュータが読み取り可能なプログラムが記録されているプログラム格納媒体。
【手続補正２】
【補正対象書類名】明細書
【補正対象項目名】０００５
【補正方法】変更
【補正の内容】
【０００５】
【課題を解決するための手段】
本発明の情報処理装置は、第１の記録媒体に記録されたコンテンツを第２の記録媒体に記録する記録手段と、記録手段により、第１の記録媒体に記録されたコンテンツが、第２の記録媒体に記録されるとき、コンテンツの情報を記録履歴情報として記憶する記録履歴情報記憶手段と、記録手段により、第１の記録媒体に記録されたコンテンツが、第２の記録媒体に再び記録されるとき、記録履歴情報記憶手段により記録履歴情報として記憶されたコンテンツの情報を検索し、表示させる表示制御手段とを備えることを特徴とする。
【手続補正３】
【補正対象書類名】明細書
【補正対象項目名】０００７
【補正方法】変更
【補正の内容】
【０００７】
本発明の情報処理方法は、第１の記録媒体に記録されたコンテンツを第２の記録媒体に記録する記録ステップと、記録ステップの処理で、第１の記録媒体に記録されたコンテンツが、第２の記録媒体に記録されるとき、コンテンツの情報を記録履歴情報として記憶する記録履歴情報記憶ステップと、記録ステップの処理で、第１の記録媒体に記録されたコンテンツが、第２の記録媒体に再び記録されるとき、記録履歴情報記憶ステップの処理で記録履歴情報として記憶されたコンテンツの情報を検索し、表示させる表示制御ステップとを含むことを特徴とする。
【手続補正４】
【補正対象書類名】明細書
【補正対象項目名】０１２９
【補正方法】変更
【補正の内容】
【０１２９】
【発明の効果】
本発明の情報処理装置および方法、並びに、プログラム格納媒体によれば、第１の記録媒体に記録されたコンテンツを、第２の記録媒体に記録するとき、コンテンツの情報を記録履歴情報として記憶し、第１の記録媒体に記録されたコンテンツを、第２の記録媒体に再び記録するとき、記録履歴情報として記憶したコンテンツの情報を検索し、表示させるようにしたので、過去に記録されたコンテンツを間違って複数回記録することが回避され、第２の記録媒体の記憶領域を無駄に使用しないようにすることが可能となり、さらに、複数回同じコンテンツを記録する際にも、コンテンツの情報を再入力する手間を省くことが可能となる。
【手続補正書】
【提出日】平成19年6月21日(2007.6.21)
【手続補正１】
【補正対象書類名】明細書
【補正対象項目名】発明の名称
【補正方法】変更
【補正の内容】
【発明の名称】ポイントを用いたオークション方法及びＷＷＷサーバ
【手続補正２】
【補正対象書類名】明細書
【補正対象項目名】特許請求の範囲
【補正方法】変更
【補正の内容】
【特許請求の範囲】
【請求項１】  金銭に換えて使用するポイントを送受信することによってオークションを運営するＷＷＷサーバと、前記ＷＷＷサーバと接続され、利用者の有するポイントを保存するポイント保存部を備えた利用者端末であって、オークションの落札者が操作する第１の端末、及びオークションの出品者が操作する第２の端末と、によって実行されるオークション方法であって、
前記第１の端末が、オークションの落札時に提示した提示ポイント数に相当するポイントを前記ＷＷＷサーバに送信するとともに、前記ポイントを前記第１の端末のポイント保存部から減じるステップと、
前記ＷＷＷサーバが、前記第１の端末から前記ポイントを受信し、前記落札者からのポイントを受信した通知を、前記第２の端末に送信するステップと、
前記ＷＷＷサーバが、前記第１の端末から、前記第２の端末を操作する出品者から前記第１の端末を操作する落札者に商品が到着したことを示す到着情報を受信するステップと、
前記ＷＷＷサーバが、前記到着情報を受信すると、前記第１の端末から受信したポイントの少なくとも一部のポイントを、前記第２の端末に送信するステップと、
前記第２の端末が、前記ＷＷＷサーバから前記ポイントを受信し、前記ポイントを前記第２の端末のポイント保存部に保存するステップと、
を有することを特徴とするオークション方法。
【請求項２】  前記ＷＷＷサーバが、オークションに出品された商品の購入を希望する者が操作する利用者端末から、前記商品を購入するために提示した提示ポイント数を受信するステップと、
前記ＷＷＷサーバが、前記商品に関して最大の提示ポイント数を送信した者を、前記商品の落札者として特定するステップと、
を有していて、
前記落札者として特定された者が操作する利用者端末が前記第１の端末として用いられ、
前記第１の端末は、前記最大の提示ポイント数に相当するポイントを前記ＷＷＷサーバに送信すること
を特徴とする請求項１記載のオークション方法。
【請求項３】  前記ＷＷＷサーバは、オークション主催者が有するポイントを保存するポイント保存部を備えていて、
前記ＷＷＷサーバは、前記第１の端末から受信したポイントの少なくとも一部のポイントを前記第２の端末に送信するステップにおいて、前記ポイントからオークション主催者の手数料に対応するポイントを減じたポイントを前記第２の端末に送信し、
前記ＷＷＷサーバが、前記手数料に対応するポイントを前記ＷＷＷサーバのポイント保存部に保存するステップを有すること、
を特徴とする請求項１又は２記載のオークション方法。
【請求項４】  金銭に換えて使用するポイントを送受信することによってオークションを運営するＷＷＷサーバであって、
オークションの落札者が操作する第１の端末から、オークションの落札時に提示した提示ポイント数に相当するポイントを受信するポイント受信手段と、
前記ポイント受信手段がポイントを受信すると、前記落札者からのポイントを受信した通知を、オークションの出品者が操作する第２の端末に送信するポイント受信通知送信手段と、
前記第１の端末から、前記第２の端末を操作する出品者から前記第１の端末を操作する落札者に商品が到着したことを示す到着情報を受信する到着情報受信手段と、
前記到着情報を受信すると、前記第１の端末から受信したポイントの少なくとも一部のポイントを、前記第２の端末に送信するポイント送信手段と、
を備えることを特徴とするＷＷＷサーバ。
【請求項５】  オークションに出品された商品の購入を希望する者が操作する利用者端末から、前記商品を購入するために提示した提示ポイント数を受信する提示ポイント数受信手段と、
前記提示ポイント数受信手段が受信した前記商品に関する提示ポイント数のうち、最大の提示ポイント数を送信した者を、前記商品の落札者として特定する落札者特定手段と、
を備えていて、
前記落札者として特定された者が操作する利用者端末が前記第１の端末として用いられ、
前記ポイント受信手段は、前記最大の提示ポイント数に相当するポイントを第１の端末から受信すること
を特徴とする請求項４記載のＷＷＷサーバ。
【請求項６】  前記ポイント送信手段は、前記第１の端末から受信したポイントからオークション主催者の手数料に対応するポイントを減じたポイントを前記第２の端末に送信し、
前記手数料に対応するポイントを、前記オークション主催者が有するポイントを保存するポイント保存部に保存させるポイント加算手段を備えること
を特徴とする請求項４又は５記載のＷＷＷサーバ。
【手続補正３】
【補正対象書類名】明細書
【補正対象項目名】００１９
【補正方法】変更
【補正の内容】
【００１９】
まず、落札者は、利用者端末１０ｂに設けられているクライアント側ポイント保存部１４ｂに保存されているポイントのうち、提示ポイント数分のポイントをＷＷＷサーバー３０へ送信する。この操作により、クライアント側ポイント保存部１４ｂに保存されているポイントは、ＷＷＷサーバー３０へ送信した分だけ減少する。ＷＷＷサーバー３０は、利用者端末１０ｂから送信されたポイントを受信し（Ｓ１０）、該受信後に、落札者からポイントを受信したことを出品者の利用者端末１０ａへ送信する（Ｓ１２）。出品者は、利用者端末１０ａ上で、ＷＷＷサーバー３０が落札者からポイントを受信したことを確認した後、商品を宅配便、郵便等により、落札者へ送付する。
【手続補正書】
【提出日】平成19年8月22日(2007.8.22)
【手続補正１】
【補正対象書類名】明細書
【補正対象項目名】請求項２３
【補正方法】変更
【補正の内容】
【請求項２３】  各種のデータを受け渡しするためのデータサービス装置であって、
各種の肖像に関する情報を記憶する記憶手段と、
上記記憶手段によって記憶された上記各種の肖像に関する情報を表示する表示手段と、
ユーザが所望とする上記肖像を指定するための入力操作手段と、
上記肖像を出力可能な印刷手段と、
ユーザから上記肖像の出力代金を徴収するための代金徴収手段と、
上記入力操作手段を介してユーザにより所望とする上記肖像が指定され、かつ、上記代金徴収手段によって上記肖像の出力代金が徴収された場合、上記記憶手段からユーザの指定に応じた肖像に関する情報を読み出し、その情報に応じた肖像を上記印刷手段に印刷させる印刷制御手段と、
を有することを特徴とする、データサービス装置。
【手続補正２】
【補正対象書類名】明細書
【補正対象項目名】００４９
【補正方法】変更
【補正の内容】
【００４９】
本願発明の第８の側面により提供されるデータサービス装置によれば、各種のデータを受け渡しするためのデータサービス装置であって、各種の肖像に関する情報を記憶する記憶手段と、記憶手段によって記憶された各種の肖像に関する情報を表示する表示手段と、ユーザが所望とする肖像を指定するための入力操作手段と、肖像を出力可能な印刷手段と、ユーザから肖像の出力代金を徴収するための代金徴収手段と、入力操作手段を介してユーザにより所望とする肖像が指定され、かつ、代金徴収手段によって肖像の出力代金が徴収された場合、記憶手段からユーザの指定に応じた肖像に関する情報を読み出し、その情報に応じた肖像を印刷手段に印刷させる印刷制御手段とを有することを特徴とする、データサービス装置が提供される。
【手続補正３】
【補正対象書類名】明細書
【補正対象項目名】００６２
【補正方法】変更
【補正の内容】
【００６２】
タッチパネル部２は、各種の案内や画像などを表示するためのものであり、液晶ディスプレイ、ＣＲＴ、あるいはプラズマディスプレイなどが適用される。タッチパネル自体は、ディスプレイ本体にはめ込み式で固定されるほか、ディスプレイ本体に内蔵されたものでも良く、タッチパネルの種類や形式を問わない。タッチパネル部２は、インターフェース２５を介して送られるＲＯＭ２２からの表示データを表示するとともに、ＥＥＰＲＯＭ２４からの各種の画像データを表示する。また、タッチパネル部２の前面においては、表示されている画面の所定箇所をユーザが指などで押下することにより、その入力操作が検出される。ユーザによってこのタッチパネル部２が押下されると、その操作信号がＣＰＵ２１に送られる。なお、ユーザがタッチパネル部２に文字や図形を手書き入力するためのタッチペンを備え、手書き入力信号がＣＰＵ２１に送られるとしても良い。
【手続補正４】
【補正対象書類名】明細書
【補正対象項目名】００７４
【補正方法】変更
【補正の内容】
【００７４】
図３は、コネクタ６に接続される携帯型電話機Ｐの一例を示す概略外観図である。携帯型電話機Ｐは、片手に収まる位の携帯可能な筐体３１を有し、他の電話機を使用するユーザと通話を行うことができる。携帯型電話機Ｐは、通話を行うための複数の操作ボタンを有する操作部３２と、動作の状況や操作部３２による操作の内容を表示する表示部３３と、スリット３４を介して内蔵された図示しない受話器と、小孔３５を介して内蔵された図示しない送話器とを備えている。なお、この携帯型電話機Ｐをデータサービス装置Ｍ１に接続する場合、同図に示すように、筐体３１の下側面に開閉自在に設けられた蓋３６を開いて、外部接続端子３７を露出させて行う。なお、図中、３８はアンテナを示す。
【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】
相変化光記録媒体にレーザ光を照射して情報の書き込みと読み出しを行う光記録再生装置において、前記光記録媒体に記録されている情報の消去のみ行う場合、記録時における線速よりも早い線速で消去を行うことを特徴とする光記録再生装置。
【請求項２】
前記光記録媒体にあらかじめ記録時における消去パワーおよび線速に関する情報を記録しておき、前記光記録媒体に記録されている情報の消去のみ行う場合、前記消去パワーおよび線速に関する情報に基づいて、レーザ光のパワーは記録時における消去パワーとし、記録時の線速よりも早い線速で消去を行うことを特徴とする請求項１記載の光記録再生装置。
【請求項３】
相変化光記録媒体にレーザ光を照射して情報の書き込みと読み出しを行う光記録再生方法において、前記光記録媒体にあらかじめ記録時における消去パワーおよび線速に関する情報を記録しておき、前記光記録媒体に記録されている情報の消去のみ行う場合、前記消去パワーおよび線速に関する情報に基づいて、レーザ光のパワーは記録時における消去パワーとし、記録時の線速よりも早い線速で消去を行うことを特徴とする光記録再生方法。
【請求項４】
記録時における消去パワーおよび線速に関する情報があらかじめ記録されていることを特徴とする相変化光記録媒体。
【請求項５】
その記録層に使用されている記録材料が少なくともＳｂを含むことを特徴とする請求項４記載の相変化光記録媒体。
【請求項６】
その記録層に使用されている記録材料が少なくともＳｂＴｅを含むことを特徴とする請求項５記載の相変化光記録媒体。
【手続補正２】
【補正対象書類名】明細書
【補正対象項目名】０００４
【補正方法】変更
【補正の内容】
【０００４】
【課題を解決するための手段】
上記目的を達成するために、請求項１記載の発明は、光記録媒体にレーザ光を照射して情報の書き込みと読み出しを行う光記録再生装置において、前記光記録媒体に記録されている情報の消去のみ行う場合、記録時における線速よりも早い線速で消去を行うことを特徴とする。また、請求項２記載の発明は、請求項１記載の光記録再生装置において、前記光記録媒体にあらかじめ記録時における消去パワーおよび線速に関する情報を記録しておき、前記光記録媒体に記録されている情報の消去のみ行う場合、前記消去パワーおよび線速に関する情報に基づいて、レーザ光のパワーは記録時における消去パワーとし、記録時の線速よりも早い線速で消去を行うことを特徴とする。また、請求項３記載の発明は、相変化光記録媒体にレーザ光を照射して情報の書き込みと読み出しを行う光記録再生方法において、前記光記録媒体にあらかじめ記録時における消去パワーおよび線速に関する情報を記録しておき、前記光記録媒体に記録されている情報の消去のみ行う場合、前記消去パワーおよび線速に関する情報に基づいて、レーザ光のパワーは記録時における消去パワーとし、記録時の線速よりも早い線速で消去を行うことを特徴とする。また、請求項４記載の発明に係る相変化光記録媒体は、記録時における消去パワーおよび線速に関する情報があらかじめ記録されていることを特徴とする。また、請求項５記載の発明は、請求項４記載の相変化光記録媒体において、その記録層に使用されている記録材料が少なくともＳｂを含むことを特徴とする。また、請求項６記載の発明は、請求項５記載の相変化光記録媒体において、その記録層に使用されている記録材料が少なくともＳｂＴｅを含むことを特徴とする。
【手続補正３】
【補正対象書類名】明細書
【補正対象項目名】０００９
【補正方法】変更
【補正の内容】
【０００９】
【発明の効果】
以上説明したように本発明は以下のような優れた効果を奏する。請求項１記載の発明の光記録再生装置によれば、光記録媒体に記録されている情報の消去のみ行う場合、記録時における線速よりも早い線速で消去を行うことにより、光記録媒体の記録層へのダメージを小さくして、記録層の破壊を防ぐとともに、消去に要する時間を短縮することができる。請求項２記載の発明の光記録再生装置によれば、光記録媒体にあらかじめ記録されている消去パワーおよび線速に関する情報に基づいて、レーザ光のパワーは記録時における消去パワーとし、記録時の線速よりも早い線速で消去を行うことにより、光記録媒体の記録層へのダメージを小さくして、記録層の破壊を防ぐとともに、消去に要する時間を短縮することができる。請求項３記載の発明の光記録再生方法によれば、光記録媒体にあらかじめ記録されている消去パワーおよび線速に関する情報に基づいて、レーザ光のパワーは記録時における消去パワーとし、記録時の線速よりも早い線速で消去を行うことにより、光記録媒体の記録層へのダメージを小さくして、記録層の破壊を防ぐとともに、消去に要する時間を短縮することができる。請求項４記載の発明の相変化光記録媒体によれば、光記録媒体に記録されている情報の消去のみを行う際、光記録媒体にあらかじめ記録されている消去パワーおよび線速に関する情報に基づいて、レーザ光のパワーは記録時における消去パワーとし、記録時の線速よりも早い線速で消去を行うことにより、光記録媒体の記録層へのダメージを小さくして、記録層の破壊を防ぐとともに、消去に要する時間を短縮することができる。請求項６記載の発明の相変化光記録媒体によれば、その記録層に使用されている記録材料が少なくともＳｂＴｅを含むことにより、高密度記録およびくり返し消去し記録することが可能となる。
【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】光源と前記光源から出射された光ビームを表面で反射するビームスプリッターと前記ビームスプリッターにより反射された光ビームを情報記録媒体上に集光させる集光手段と、前記情報記録媒体で反射し前記ビームスプリッターを透過した光ビームを検出する光検出器と、前記ビームスプリッターと前記検出器の間に設けられた非点収差付与手段とからなる光ヘッド装置であって、前記非点収差付与手段は、前記ビームスプリッターで発生する非点収差の方向と異なる方向の非点収差を付与するレンズ作用の無い光学素子であることを特徴とする光ヘッド装置。
【請求項２】前記非点収差付与手段で発生する非点収差量の絶対値は、前記ビームスプリッターで発生する非点収差量の絶対値より、大きいことを特徴とする請求項１記載の光ヘッド装置。
【請求項３】前記非点収差付与手段は、前記ビームスプリッターより厚い光学素子であることを特徴とする請求項２記載の光ヘッド装置。
【請求項４】前記非点収差付与手段の光入射面への光ビームの入射角は、前記ビームスプリッターの光入射面への光ビームの入射角より、大きいことを特徴とする請求項２または３記載の光ヘッド装置。
【請求項５】前記非点収差付与手段は、複数の平行平板から成り、該複数の平行平板の法線が前記集光手段と前記ビームスプリッターのなす子午面に含まれないように配置されたことを特徴とする請求項１記載の光ヘッド装置。
【請求項６】前記非点収差付与手段は、平行平板とくさび形プリズムから成り、該平行平板と該くさび形プリズムの法線が前記集光手段と前記ビームスプリッターのなす子午面に含まれないように配置されたことを特徴とする請求項１記載の光ヘッド装置。
【請求項７】前記非点収差付与手段は、１枚の平行平板であって、該平行平板の法線が前記集光手段と前記ビームスプリッターのなす子午面に含まれないように配置されたことを特徴とする請求項１記載の光ヘッド装置。
【請求項８】前記非点収差付与手段は、くさび形プリズムであって、該くさび形プリズムの法線が前記集光手段と前記ビームスプリッターのなす子午面に含まれないように配置されたことを特徴とする請求項１記載の光ヘッド装置。
【請求項９】光情報媒体と前記情報媒体の駆動機構と、請求項１から５記載の光ヘッド装置と、前記光ヘッド装置より得られるフォーカスエラー信号とフォーカスサーボ機構と前記サーボ機構を実現するための電気回路とを少なくとも有する光情報処理装置。
【手続補正書】
【提出日】平成19年9月27日(2007.9.27)
【手続補正１】
【補正対象書類名】明細書
【補正対象項目名】発明の名称
【補正方法】変更
【補正の内容】
【発明の名称】利用者確認方法、ＷＷＷサーバー
【手続補正２】
【補正対象書類名】明細書
【補正対象項目名】特許請求の範囲
【補正方法】変更
【補正の内容】
【特許請求の範囲】
【請求項１】  利用者端末から通信回線を介してＷＷＷサーバーにアクセスしてきた利用者を確認する利用者確認方法において、前記ＷＷＷサーバーが、
前記ＷＷＷサーバーにアクセスしてきた利用者端末から利用者ＩＤ及びパスワードを受信し、受信した前記利用者ＩＤ及びパスワードに基づいて前記利用者の認証を行う第一の認証ステップと、
前記認証の結果、受信したパスワードが正しいものであると判断された場合、一時的に使用する一時パスワードを作成し、利用者ＩＤと対応付けて記憶する一時パスワード作成ステップと、
前記利用者ＩＤ及び前記一時パスワードをリンク先ＵＲＬに関連付けたＷＷＷ ページを通信回線を介して前記利用者端末へ送信する送信ステップと、
利用者端末から通信回線を介して前記ＷＷＷサーバーにアクセスがあった際に、ＵＲＬとともに受信した利用者ＩＤ及び一時パスワードと、前記一時パスワード作成ステップにおいて記憶した利用者ＩＤ及び一時パスワードとに基づいて、前記第一の認証ステップにおいて認証された利用者の認証を行う第二の認証ステップと、を実行することを特徴とする利用者確認方法。
【請求項２】  請求項１に記載の利用者確認方法であって、
前記第二の認証ステップにおいて、受信した前記一時パスワードが正しいものであると判断された場合、前記ＷＷＷサーバーが、一時パスワードを再作成して、利用者ＩＤと対応付けて記憶する一時パスワード再作成ステップを更に実行し、
前記送信ステップは、
前記利用者ＩＤと前記再作成された一時パスワードをリンク先URLに関連づけたＷＷＷページを通信回線を介して利用者端末へ送信することを特徴とする利用者確認方法。
【請求項３】  請求項１又は２に記載の利用者確認方法であって、
前記一時パスワード作成ステップ又は前記一時パスワード再作成ステップにおいて作成される一時パスワードが、前記第一の認証ステップまたは前記第二の認証ステップにおいて利用者を認証する際に用いるパスワードと同一であることを特徴とする利用者確認方法。
【請求項４】  請求項１又は２に記載の利用者確認方法であって、
前記一時パスワード作成ステップ又は前記一時パスワード再作成ステップにおいて作成される一時パスワードが、前記第一の認証ステップまたは前記第二の認証ステップにおいて利用者を認証する際に用いるパスワードと異なることを特徴とする利用者確認方法。
【請求項５】  通信回線を介してアクセスしてきた利用者を確認するＷＷＷサーバーであって、
アクセスしてきた利用者端末から利用者ＩＤ及びパスワードを受信し、受信した前記利用者ＩＤ及びパスワードに基づいて前記利用者の認証を行う第一の認証手段と、
前記認証の結果、受信したパスワードが正しいものであると判断された場合、一時的に使用する一時パスワードを作成し、利用者ＩＤと対応付けて記憶する一時パスワード作成手段と、
前記利用者ＩＤ及び前記一時パスワードがリンク先ＵＲＬに関連付けられたＷＷＷ ページを通信回線を介して前記利用者端末へ送信する送信手段と
利用者端末から通信回線を介して前記ＷＷＷサーバーにアクセスがあった場合、ＵＲＬとともに受信した利用者ＩＤ及び一時パスワードに基づいて、前記利用者が前記第一の認証手段により認証された利用者であるか否かを認証する第二の認証手段と、を有することを特徴とするＷＷＷサーバー。
【手続補正３】
【補正対象書類名】明細書
【補正対象項目名】０００７
【補正方法】変更
【補正の内容】
【０００７】
【課題を解決するための手段】
前記目的を達成するための第１の発明は、利用者端末から通信回線を介してＷＷＷサーバーにアクセスしてきた利用者を確認する利用者確認方法において、前記ＷＷＷサーバーが、
前記ＷＷＷサーバーにアクセスしてきた利用者端末から利用者ＩＤ及びパスワードを受信し、受信した前記利用者ＩＤ及びパスワードに基づいて前記利用者の認証を行う第一の認証ステップと、
前記認証の結果、受信したパスワードが正しいものであると判断された場合、一時的に使用する一時パスワードを作成し、利用者ＩＤと対応付けて記憶する一時パスワード作成ステップと、
前記利用者ＩＤ及び前記一時パスワードをリンク先ＵＲＬに関連付けたＷＷＷ ページを通信回線を介して前記利用者端末へ送信する送信ステップと、
利用者端末から通信回線を介して前記ＷＷＷサーバーにアクセスがあった際に、ＵＲＬとともに受信した利用者ＩＤ及び一時パスワードと、前記一時パスワード作成ステップにおいて記憶した利用者ＩＤ及び一時パスワードとに基づいて、前記第一の認証ステップにおいて認証された利用者の認証を行う第二の認証ステップと、を実行することを特徴とする。
【手続補正４】
【補正対象書類名】明細書
【補正対象項目名】０００８
【補正方法】変更
【補正の内容】
【０００８】
また、本発明において、前記第二の認証ステップにおいて、受信した前記一時パスワードが正しいものであると判断された場合、前記ＷＷＷサーバーが、一時パスワードを再作成して、利用者ＩＤと対応付けて記憶する一時パスワード再作成ステップを更に実行し、
前記送信ステップは、
前記利用者ＩＤと前記再作成された一時パスワードをリンク先URLに関連づけたＷＷＷページを通信回線を介して利用者端末へ送信することとしてもよい。
【手続補正５】
【補正対象書類名】明細書
【補正対象項目名】０００９
【補正方法】変更
【補正の内容】
【０００９】
また、本発明において、前記一時パスワード作成ステップ及び前記一時パスワード再作成ステップにおいて作成される一時パスワードが、前記第一の認証ステップまたは前記第二の認証ステップにおいて利用者を認証する際に用いるパスワードと同一であることとしてもよいし、異なることとしてもよい。
【手続補正６】
【補正対象書類名】明細書
【補正対象項目名】００３１
【補正方法】変更
【補正の内容】
【００３１】
【発明の効果】
本発明によれば、通信回線を介して利用者端末からアクセスしてきた利用者を、クッキーを使用することなく確認することができる。
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】